(57)【要約】【課題】  床衝撃音を十分に低減することができる緩衝装置を得る。【解決手段】  床材が振動した場合、可動部３１が第１永久磁石３０と第２永久磁石４０との斥力により上方へ付勢されながらシリンダー２６内で上下移動することで、床材からの振動を減衰する。ここで、第１永久磁石３０と第２永久磁石４０とは、斥力によって互いに非接触状態とされるので、床材からの振動衝撃音が遮断されてスラブに伝わりにくい。【選択図】      図２
2007046287.tif 000002
【特許請求の範囲】
【請求項１】
スラブ上に配置され、軸方向が上下方向となる筒部を備えた基台部と、
前記筒部内に配置された第１の磁力発生部と、
前記筒部内で前記第１の磁力発生部の上方にあって前記第１の磁力発生部に対して同磁極が対向配置された第２の磁力発生部を備え、前記第１の磁力発生部と前記第２の磁力発生部との斥力により上方へ付勢されると共に前記筒部内で上下移動可能とされ、上方の床材を支持する可動部と、
を有することを特徴とする緩衝装置。
【請求項２】
前記筒部の上部に内側へ突き出した突出部が設けられ、前記突出部の下面と前記可動部との間に、前記突出部の下面に前記可動部が当たるのを阻止する弾性ストッパが介在されることを特徴とする請求項１記載の緩衝装置。
【請求項３】
前記可動部を前記筒部内で上下方向へ案内する案内部が設けられたことを特徴とする請求項１又は請求項２に記載の緩衝装置。
【請求項４】
前記筒部内における前記可動部の下方の空間と装置の外部空間とを連通する流通路が形成されたことを特徴とする請求項１から３のいずれか一項に記載の緩衝装置。
【請求項５】
前記基台部に前記流通路における気体の流通量を調節可能な流量調節手段を設けたことを特徴とする請求項４記載の緩衝装置。
【請求項６】
前記第１の磁力発生部と前記第２の磁力発生部との間に第１の緩衝材が配置されたことを特徴とする請求項１から５のいずれか一項に記載の緩衝装置。
【請求項７】
前記第１の磁力発生部及び前記第２の磁力発生部には、上下方向に直交する方向の周囲に磁性体が配置されたことを特徴とする請求項１から６のいずれか一項に記載の緩衝装置。
【請求項８】
前記基台部の下方に第２の緩衝材が配置され、前記基台部が前記第２の緩衝材を介して前記スラブ上に配置されることを特徴とする請求項１から７のいずれか一項に記載の緩衝装置。
【発明の詳細な説明】
【技術分野】
【０００１】
本発明は、スラブと床材との間に配置される緩衝装置に関する。
【背景技術】
【０００２】
緩衝装置においては、床衝撃音の遮断性能を向上させるために、スラブ上に配置されて床材を支持する装置がある（例えば、特許文献１参照）。このような緩衝装置では、例えば、支脚にエラストマーを備え、エラストマーによって床材からの振動を減衰している。
【０００３】
この従来の緩衝装置では、エラストマーの振動がスラブに伝わるため、床衝撃音を十分に低減することができない。
【特許文献１】特開平１０−３７３４３号公報
【発明の開示】
【発明が解決しようとする課題】
【０００４】
本発明は、上記事実を考慮して、床衝撃音を十分に低減することができる緩衝装置を提供することを課題とする。
【課題を解決するための手段】
【０００５】
請求項１に記載する本発明の緩衝装置は、スラブ上に配置され、軸方向が上下方向となる筒部を備えた基台部と、前記筒部内に配置された第１の磁力発生部と、前記筒部内で前記第１の磁力発生部の上方にあって前記第１の磁力発生部に対して同磁極が対向配置された第２の磁力発生部を備え、前記第１の磁力発生部と前記第２の磁力発生部との斥力により上方へ付勢されると共に前記筒部内で上下移動可能とされ、上方の床材を支持する可動部と、を有することを特徴とする。
【０００６】
請求項１に記載する本発明の緩衝装置によれば、床材は、直接又は他部材を介して可動部によって支持されている。床材が振動した場合、可動部が第１の磁力発生部と第２の磁力発生部との斥力により上方へ付勢されながら筒部内で上下移動することで、床材からの振動を減衰する。ここで、第１の磁力発生部と第２の磁力発生部とは、斥力によって互いに非接触状態とされるので、床材からの振動衝撃音が遮断されてスラブに伝わりにくい。
【０００７】
請求項２に記載する本発明の緩衝装置は、請求項１記載の構成において、前記筒部の上部に内側へ突き出した突出部が設けられ、前記突出部の下面と前記可動部との間に、前記突出部の下面に前記可動部が当たるのを阻止する弾性ストッパが介在されることを特徴とする。
【０００８】
請求項２に記載する本発明の緩衝装置によれば、緩衝後に可動部が上方へ移動しても、可動部は、弾性ストッパによって突出部の下面に当たるのが阻止されるので、突出部の下面との間の接触音の発生を抑えることができる。
【０００９】
請求項３に記載する本発明の緩衝装置は、請求項１又は請求項２に記載の構成において、前記可動部を前記筒部内で上下方向へ案内する案内部が設けられたことを特徴とする。
【００１０】
請求項３に記載する本発明の緩衝装置によれば、可動部は、案内部によって筒部内で上下方向へ案内されてスムーズに上下移動するので、安定した動作を確保できる。
【００１１】
請求項４に記載する本発明の緩衝装置は、請求項１から３のいずれか一項に記載の構成において、前記筒部内における前記可動部の下方の空間と装置の外部空間とを連通する流通路が形成されたことを特徴とする。
【００１２】
請求項４に記載する本発明の緩衝装置によれば、可動部が筒部内を上下移動することにより、筒部内における可動部の下方の空間と装置の外部空間との間で、気体が流通路を介して流動する。これにより、床材からの振動を効果的に減衰されることが可能となり、振動の収束を早めることができる。
【００１３】
請求項５に記載する本発明の緩衝装置は、請求項４記載の構成において、前記基台部に前記流通路における気体の流通量を調節可能な流量調節手段を設けたことを特徴とする。
【００１４】
請求項５に記載する本発明の緩衝装置によれば、流量調節手段の調節によって、最適な量の気体が流通路を流動する。これにより、床材からの振動をより効果的に減衰されることが可能となる。
【００１５】
請求項６に記載する本発明の緩衝装置は、請求項１から５のいずれか一項に記載の構成において、前記第１の磁力発生部と前記第２の磁力発生部との間に第１の緩衝材が配置されたことを特徴とする。
【００１６】
請求項６に記載する本発明の緩衝装置によれば、可動部の振幅が大きい場合、第１の磁力発生部は、第１の緩衝材を介して第２の磁力発生部と衝突することになるので、第１の磁力発生部と第２の磁力発生部との接触音を抑えることができると共に、第１の磁力発生部及び第２の磁力発生部を保護することができる。
【００１７】
請求項７に記載する本発明の緩衝装置は、請求項１から６のいずれか一項に記載の構成において、前記第１の磁力発生部及び前記第２の磁力発生部には、上下方向に直交する方向の周囲に磁性体が配置されたことを特徴とする。
【００１８】
請求項７に記載する本発明の緩衝装置によれば、磁性体によって第１の磁力発生部及び第２の磁力発生部から外部への磁力漏れをカットすることができ、対向する第１の磁力発生部と第２の磁力発生部との磁束密度が増して第１の磁力発生部と第２の磁力発生部の反発効果が高まる。
【００１９】
請求項８に記載する本発明の緩衝装置は、請求項１から７のいずれか一項に記載の構成において、前記基台部の下方に第２の緩衝材が配置され、前記基台部が前記第２の緩衝材を介して前記スラブ上に配置されることを特徴とする。
【００２０】
請求項８に記載する本発明の緩衝装置によれば、基台部が僅かに振動しても、第２の緩衝材が振動を緩衝してスラブへ伝える。
【発明の効果】
【００２１】
以上説明したように、本発明の緩衝装置によれば、床衝撃音を十分に低減することができるという優れた効果を有する。
【発明を実施するための最良の形態】
【００２２】
本発明における緩衝装置の実施形態を図面に基づき説明する。なお、図中の矢印ＵＰは床構造における上方向を示す。
（実施形態の構成）
図１に示される緩衝装置としての複合緩衝装置２０が適用される床構造１０は、集合住宅等に用いられる二重床（乾式遮音二重床）の構造であり、上階で発せられて階下に伝播する床衝撃音（歩行音、物の落下音、子供の飛び跳ね等）を低減させるための構造である。
【００２３】
床構造１０は、躯体床となるコンクリート製の床スラブ１２と上床材１４との間には、所定の間隔で複数個並べられた複合緩衝装置２０を介在させており、複合緩衝装置２０上に床支持具３４を配置して上床材１４を支持させている。複合緩衝装置２０及び床支持具３４の介在によって床スラブ１２と上床材１４との間に空間を形成して遮音効果を得る状態としている。
【００２４】
なお、本実施形態の上床材１４は、下地パネル１４Ａを備えると共に、下地パネル１４Ａ上に仕上げ材１４Ｂを設けた積層構造となっている。ここで、下地パネル１４Ａ、床支持具３４、及び、複合緩衝装置２０が床下地材となっている。
【００２５】
図２に示されるように、複合緩衝装置２０は、基台部２２を有しており、この基台部２２は、床スラブ１２上に配置される基礎台座２４と、この基礎台座２４の上に取り付けられる筒部としてのシリンダー２６とを備えている。
【００２６】
図２及び図３に示されるように、基礎台座２４は、略円盤状とされ、基礎台座２４の径方向中間部には、短円筒状の壁部２５が上方（矢印ＵＰ方向）に向けて突出形成されている。壁部２５の径方向内側には、短円柱状の第１の磁力発生部としての第１永久磁石３０が配置されており、第１永久磁石３０の下面は、基礎台座２４に接着剤で接着されている。基礎台座２４の中心部には、第１永久磁石３０の接着時における空気抜き用として貫通孔２４Ａが貫通形成されている。なお、貫通孔２４Ａは、第１永久磁石３０を基礎台座２４に密着させるために形成しておくことが好ましいが、必須の要件ではない。第１永久磁石３０は、基礎台座２４に接着されることで、シリンダー２６内に配置される。
【００２７】
第１永久磁石３０における上下方向に直交する方向の周囲、すなわち、第１永久磁石３０と壁部２５との間には、磁性体としての円環状のスペーサー２８が配置されており、スペーサー２８の下面は、基礎台座２４に接着剤で接着されている。
【００２８】
図２に示されるように、壁部２５の上面部には、第１開口部２５Ａが形成されると共に、壁部２５よりも径方向外側の上面部には、エアダンパー孔としての第２開口部２４Ｂが形成されており、第１開口部２５Ａと第２開口部２４Ｂとの間は、連通されて流通路２３が形成されている。この流通路２３は、基礎台座２４の外周面部に形成された第３開口部２４Ｃとも連通しており、第３開口部２４Ｃからは、エアダンパー調整ねじとしての流量調整用ボルト５０が挿入されるようになっている。流量調整用ボルト５０の先端部は、円錐状とされており、第１開口部２５Ａと第２開口部２４Ｂとの間における流通路２３の一部の路幅を調節できるようになっている。
【００２９】
基礎台座２４においては、第２開口部２４Ｂよりも径方向内側に、シリンダー２６の取付け用としての取付孔２４Ｄが貫通形成されている。図３に示される取付孔２４Ｄは、壁部２５の立設位置より径方向やや外側に沿って複数箇所（本実施形態では計４箇所）に設けられている。図２において、切断面を変えて示した切欠きの右下部分に示されるように、シリンダー２６には、取付孔２４Ｄに対向して取付穴２６Ａが形成されており、取付孔２４Ｄ及び取付穴２６Ａに挿入されたボルト５２によって、基礎台座２４にシリンダー２６が取り付けられる。取付状態において、シリンダー２６は、軸方向が上下方向となる。
【００３０】
シリンダー２６の円筒形状部１２６の内側には、第１永久磁石３０の上方に可動部３１が配置されている。可動部３１は、ヨーク３２、及び、第２の磁力発生部としての第２永久磁石４０を備えている。
【００３１】
可動部３１のヨーク３２は、略円筒状で縦断面が略Ｈ字状とされており、床支持具３４を介して上方の上床材１４（図１参照）を支持するようになっている。床支持具３４は、ヨーク３２の上部に形成された中央凹部３２Ａ内に載置されるゴム脚３５と、ゴム脚３５に直立状態で支持される支持ボルト３６とを備えている。支持ボルト３６の軸部３６Ａには、雄ネジ部３６Ｂが形成されており、この雄ネジ部３６Ｂは、図１に示される上床材１４の下地パネル１４Ａに形成された図示しない雌ネジ部に、螺合されるようになっている。
【００３２】
図２に示される可動部３１は、シリンダー２６内で上下移動可能とされている。シリンダー２６の内周面は、可動部３１のヨーク３２をシリンダー２６内で上下方向へ案内する案内部としての案内面２６Ｂとされ、摩擦係数が小さい低摩擦面となっている。
【００３３】
ここで、シリンダー２６内におけるヨーク３２の下方の空間３３と装置の外部空間とは、流通路２３によって連通されており、この流通路２３は、第１開口部２５Ａと第２開口部２４Ｂとを出入り口としている。流量調整用ボルト５０は、流通路２３における気体の流通量を調節できるようになっている。
【００３４】
ヨーク３２の下部には、底面視で円状の凹部３２Ｂが形成され、この凹部３２Ｂ内に短円柱状の第２の磁力発生部としての第２永久磁石４０が配置されており、第２永久磁石４０の上面は、ヨーク３２に接着剤で接着されている。ヨーク３２の中心部には、第２永久磁石４０の接着時における空気抜き用として貫通孔３２Ｃが貫通形成されている。なお、貫通孔３２Ｃは、第２永久磁石４０をヨーク３２に密着させるために形成しておくことが好ましいが、必須の要件ではない。
【００３５】
第２永久磁石４０における上下方向に直交する方向の周囲、すなわち、第２永久磁石４０と凹部３２Ｂの内周面との間には、磁性体としての円環状のスペーサー４２が配置されており、スペーサー４２の上面は、ヨーク３２に接着剤で接着されている。
【００３６】
第２永久磁石４０は、シリンダー２６内において、第１永久磁石３０の上方に直列に配置され、かつ、第１永久磁石３０に対して同磁極（Ｎ極とＮ極、又は、Ｓ極とＳ極）が対向配置された状態となっている。第１永久磁石３０と第２永久磁石４０との斥力により第２永久磁石４０を備えた可動部３１は、上方へ付勢されており、通常時においては、互いに非接触状態とされる。
【００３７】
第１、第２永久磁石３０、４０の周囲に配置されたスペーサー２８、４２は、第１、第２永久磁石３０、４０の外部への磁力漏れをカットし、これによって、対向する第１、第２永久磁石３０、４０の磁束密度が増して第１、第２永久磁石３０、４０の反発効果が高まる。
【００３８】
なお、シリンダー２６内に挿入配置される第１、第２永久磁石３０、４０には、オネジ系、コバルト系、フェライト系、アルニコ系、希土類、又は、ラバーマグネットを適用することができる。
【００３９】
第１永久磁石３０と第２永久磁石４０との間には、第１の緩衝材としてのゴムシート４４が配置されている。ゴムシート４４は、第１永久磁石３０、スペーサー２８、及び、空間２３に面した基礎台座２４の上面２４Ｅ（第１開口部２５Ａを除く）を覆っている。このゴムシート４４の材料としては、例えば、天然ゴム、合成ゴム、及び、発泡ゴム等のゴム材料が適用できる。
【００４０】
シリンダー２６の上部には、径方向内側へ庇状に突き出した突出部としての上部カバー２７が設けられており、上部カバー２７は、可動部３１をシリンダー２６内に封入している。本実施形態では、この上部カバー２７は、円環状に削り出された部材をシリンダー２６の円筒形状部１２６の上部に溶接にて一体的に固着している。円筒形状部１２６と上部カバー２７とを別体として形成して固着することで、シリンダー２６の製造が容易となる。なお、本実施形態では、上部カバー２７を円筒形状部１２６に固着しているが、一体加工で上部カバー２７を成形してもよい。
【００４１】
上部カバー２７の下方となるヨーク３２の上部には、図３に示されるように、中央凹部３２Ａの外周に浅溝の円環状凹部３２Ｄが形成されている。円環状凹部３２Ｄ内には、薄肉で円環状のゴムリング４６が嵌め込まれて配置される。
【００４２】
図２に示されるように、上部カバー２７の下面と可動部３１のヨーク３２との間には、ゴム系材料からなる円環状の弾性ストッパとしてのゴムストッパ４８が介在されており、これにより、上部カバー２７の下面にヨーク３２が直接当たるのを阻止している。なお、ゴムストッパ４８の材料としては、例えば、天然ゴム、合成ゴム、及び、発泡ゴム等のゴム材料を適用することができる。
（実施形態の作用）
次に、上記の実施形態の作用を説明する。
【００４３】
図１に示される上床材１４は、床支持具３４を介して図２に示される可動部３１によって支持されている。可動部３１は、第１永久磁石３０と第２永久磁石４０との斥力（反発力）によって上方へ付勢されている。
【００４４】
可動部３１が床支持具３４を介して上床材１４からの振動衝撃を受けた場合、可動部３１は、シリンダー２６内で案内面２６Ｂによって上下方向へ案内されてスムーズに上下移動する。ここで、可動部３１の上下移動時にも、第１、第２永久磁石３０、４０の斥力が作用しているので、振動衝撃力は、この斥力によって次第に緩和される。
【００４５】
また、可動部３１がシリンダー２６内を上下移動することにより、シリンダー２６内における可動部３１の下方の空間３３と装置の外部空間との間で、気体が流通路２３を介して流動する。これにより、エアダンパーとしての機構が作用して上床材１４からの振動を効果的に減衰されることが可能となり、振動の収束を早めることができる。
【００４６】
このときに、対向する第１、第２永久磁石３０、４０は、互いに非接触状態とされているので、上床材１４からの振動衝撃音が遮断されて床スラブ１２に伝わりにくい。これにより、上床材１４を撓みが微小（例えば２ｍｍ以下）となるように設定したとしても、振動衝撃音を有効に遮断することができる。また、衝撃力が大きい重量衝撃に対して、低い周波数領域（例えば、１００Ｈｚ以下の領域）での床衝撃音も低減できるので（後述の試験例４で詳述）、トータルでの床衝撃音の低減効果が極めて大きくなる。
【００４７】
ここで、衝撃力が非常に大きくて可動部３１の振幅が大きい場合であっても、第１永久磁石３０と第２永久磁石４０とは、ゴムシート４４を介して衝突することになるので、第１永久磁石３０と第２永久磁石４０との接触音を抑えることができる。（スペーサー２８とスペーサー４２との各対向部、及び、空間２３に面した基礎台座２４の上面２４Ｅとヨーク３２との各対向部についても、ゴムシート４４を介して衝突することになるので、これらによる接触音も、同様に抑えられる。）また、ゴムシート４４により、衝突時の第１、第２永久磁石３０、４０を保護することができるので、第１、第２永久磁石３０、４０の耐久性が向上する。（スペーサー２８、４２、空間２３に面した基礎台座２４の上面２４Ｅ、及び、ヨーク３２についても、同様に耐久性が向上する。）
また、緩衝後の可動部３１が上方へ跳ね上がっても、可動部３１のヨーク３２は、ゴムストッパ４８によって上部カバー２７の下面に直接当たるのが阻止されるので、ヨーク３２と上部カバー２７の下面との間の接触音の発生を抑えることができる。また、ゴムストッパ４８及びゴムリング４６の弾性力によって、可動部３１の上方への反発力を抑えることもできる。
【００４８】
なお、流量調整用ボルト５０を調節しておくことによって、減衰特性を変えることができ、可動部３１がシリンダー２６内を上下移動する時に、最適な量の気体が流通路２３を流動することになり、これにより、上床材１４からの振動をより効果的に減衰されることが可能となる。
（試験例１）
エアダンパー孔としての空気孔（上記実施形態では第２開口部２４Ｂに対応）の口径を変えて衝撃に対する減衰効果の違いを比較試験した。
【００４９】
比較試験で使用された複合緩衝装置は、上記実施形態とほぼ同様であり、第１永久磁石と第２永久磁石との間の距離は、５ｍｍ、第１、第２永久磁石の直径は５０ｍｍとし、ゴム脚は配置せずに床支持体を介して上床材を支持する構成とした。また、流通路に連通する空気孔の口径は、３．０ｍｍ、１．５ｍｍ、０ｍｍ（空気孔なし）の３パターンとした。
【００５０】
図４には、試験例１で使用する試験装置６０の概略構成が示されている。図４に示されるように、衝撃力測定センサ６２の上に試験対象６４が配置されており、この試験対象６４は、上方の衝撃試験用仮想床６６を支持している。衝撃試験用仮想床６６の上方には、支持棒６７が配置され、支持棒６７の先端部に衝撃源となる球６８が吊るされている。球６８は、衝撃試験用仮想床６６から高さ１０００ｍｍの位置に配置される。
【００５１】
ここで、球６８を衝撃試験用仮想床６６に落下させることによって、衝撃試験用仮想床６６に衝撃を与えて衝撃力測定センサ６２で衝撃力を測定した。
【００５２】
試験結果を図５のグラフに示す。グラフの縦軸は、衝撃力測定センサ６２（図４参照）で測定された衝撃力であり、グラフの横軸は、経過時間である。図５に示されるように、上記試験条件の場合には、空気孔の口径が１．５ｍｍの場合に最も良好な減衰効果を得られることが分かった。
（試験例２）
ヨーク（上記実施形態ではヨーク３２に対応）の有無と、衝撃に対する減衰効果との関係を確認するために、比較試験をした。
【００５３】
比較試験で使用された複合緩衝装置は、上記実施形態とほぼ同様であり、第１、第２永久磁石の直径は５０ｍｍとし、第１、第２永久磁石の間にゴムシートは配置せず、エアダンパー孔としての空気孔（上記実施形態では第２開口部２４Ｂに対応）は形成しない構成とし、比較対象の一方は、ヨーク有り（ヨーク付）、他方は、ヨーク無しとした。また、試験例２においても、図４に示される試験装置６０を使用した。
【００５４】
試験結果を図６のグラフに示す。グラフの縦軸は、衝撃力測定センサ６２（図４参照）で測定された衝撃力であり、グラフの横軸は、経過時間である。図６に示されるように、上記試験条件の場合には、ヨーク有り（ヨーク付）の場合のほうが、ヨーク無しの場合に比べて良好な減衰効果を得られることが分かった。
（試験例３）
ゴム脚付きの床支持具を介して複合緩衝装置が上床材を支持する場合、及び、ゴム脚無しの床支持体を介して複合緩衝装置が上床材を支持する場合について、衝撃に対する減衰効果との関係を確認するために、比較試験をした。
【００５５】
比較試験で使用された複合緩衝装置は、上記実施形態とほぼ同様であり、第１永久磁石と第２永久磁石との間の距離は１０ｍｍ、第１、第２永久磁石の直径は５０ｍｍとし、エアダンパー孔としての空気孔（上記実施形態では第２開口部２４Ｂに対応）は直径１．５ｍｍとして構成した。
【００５６】
比較対象の一方は、本実施形態と同様に、この複合緩衝装置にゴム脚付きの床支持具を直列配置して上床材を支持させ、比較対象の他方は、複合緩衝装置にゴム脚無しの床支持体を直列配置して上床材を支持させた。
【００５７】
また、試験例３においても、図４に示される試験装置６０を使用した。
【００５８】
試験結果を図７のグラフに示す。グラフの縦軸は、衝撃力測定センサ６２（図４参照）で測定された衝撃力であり、グラフの横軸は、経過時間である。（複合緩衝装置にゴム脚無しの床支持体を直列配置して上床材を支持させた場合を、グラフ中では、複合緩衝装置のみの場合として記す。）図７に示されるように、いずれの場合においても良好な減衰効果を得ることができた。
（試験例４）
上記実施形態の作用を確認するために、ゴム脚付きの床支持具のみによって上床材を支持する場合、及び、ゴム脚付きの床支持具を介して複合緩衝装置が上床材を支持する場合について、床衝撃音の低減を比較する比較試験をした。
【００５９】
比較試験で使用されたゴム脚付きの床支持具、及び、複合緩衝装置は、上記実施形態とほぼ同様である。
【００６０】
比較対象の一方は、ゴム脚付きの床支持具のみによって上床材を支持させ、比較対象の他方は、本実施形態と同様に、この複合緩衝装置にゴム脚付きの床支持具を直列配置して上床材を支持させた。
【００６１】
図８には、試験例４で使用する試験装置７０の概略構成が示されている。図８に示されるように、試験装置７０は、テーブル状の台部７１を備え、この台部７１の上板がコンクリート製の仮想床スラブ７２となっている。仮想床スラブ７２の上方には、試験対象７４が配置され、この試験対象７４が上方の仮想上床７６を支持している。仮想上床７６の上面７６Ａには、音源としての音源機器７８が配置される。
【００６２】
仮想床スラブ７２の下方には、三脚に取り付けられたマイクロフォン８０が複数配置されている。マイクロフォン８０は、配線を介してサウンドレベルメータ８２に接続されており、サウンドレベルメータ８２は、さらにコンピュータ８４に接続されている。
【００６３】
ここで、音源機器７８によって試験音を発生させ、仮想床スラブ７２の下方のマイクロフォン８０で集音し、サウンドレベルメータ８２で衝撃音レベルを測定してコンピュータ８４に出力した。
【００６４】
試験結果を図９のグラフに示す。グラフの縦軸は、サウンドレベルメータ８２（図８参照）で測定した床衝撃音レベルであり、グラフの横軸は、音源機器７８（図８参照）による試験音の周波数である。
【００６５】
図９に示されるように、５００Ｈｚ程度未満の周波数領域では、複合緩衝装置にゴム脚付きの床支持具を直列配置して上床材を支持させた場合のほうが、ゴム脚付きの床支持具のみによって上床材を支持させた場合に比べて床衝撃音の低減効果があり、特に２５０Ｈｚ以下の周波数領域では、その効果が顕著であることが分かった。
【００６６】
なお、上記実施形態では、図２に示される可動部３１がヨーク３２、第２永久磁石４０等を備えているが、可動部は、例えば、第２永久磁石のみからなる可動部等のような他の可動部としてもよい。
【００６７】
また、上記実施形態では、第１永久磁石３０の下面が基台部２２に接着されているが、例えば、第１永久磁石の側方を直接又は他部材（例えば、スペーサー）を介して基台部に取り付ける構成としてもよい。
【００６８】
また、上記実施形態における基台部２２の基礎台座２４の下方に緩衝用ゴム脚部材、緩衝用ゴムシート（図２の二点鎖線９０で図示）等の第２の緩衝材を配置し、基礎台座２４がこの第２の緩衝材を介して床スラブ１２上に配置される構成としてもよい。
【００６９】
さらに、上記実施形態では、可動部３１をシリンダー２６内で上下方向へ案内する案内部が、案内面２６Ｂとされているが、案内部は、これに限定されず、例えば、可動部と円筒部とのいずれか一方にキーを設けると共に他方にキー溝を設けて可動部を円筒部内で上下方向へ案内する等のような他の案内部としてもよい。
【００７０】
さらにまた、上記実施形態では、ゴムシート４４は、第１永久磁石３０、スペーサー２８、及び、空間３３に面した基礎台座２４の上面２４Ｅ（第１開口部２５Ａを除く）を被覆する構成としているが、第１永久磁石３０及びスペーサー２８を被覆するのみの構成でもよい。これにより、基礎台座２４の壁部２５の上面とヨーク３２とが当るのを回避することができる。
【００７１】
なお、上記実施形態では、第１の緩衝材としてのゴムシート４４を配置しているが、第１の緩衝材は、これに限定されず、例えば、シール材等のような他の緩衝材であってもよい。
【００７２】
また、上記実施形態では、第１の磁力発生部、第２の磁力発生部として第１永久磁石３０、第２永久磁石４０を適用しているが、第１の磁力発生部、第２の磁力発生部は、例えば、電磁石等のような他の磁力発生部としてもよい。
【図面の簡単な説明】
【００７３】
【図１】本発明の実施形態に係る複合緩衝装置が適用される床構造を示す断面図である。
【図２】本発明の実施形態に係る複合緩衝装置の縦断面を示す断面図である。
【図３】本発明の実施形態に係る複合緩衝装置を示す分解斜視図である。
【図４】試験例１〜試験例３で使用する試験装置を示す概略構成図である。
【図５】試験例１の試験結果を示すグラフである。
【図６】試験例２の試験結果を示すグラフである。
【図７】試験例３の試験結果を示すグラフである。
【図８】試験例４で使用する試験装置を示す概略構成図である。
【図９】試験例３の試験結果を示すグラフである。
【符号の説明】
【００７４】
１２    床スラブ（スラブ）
１４    上床材（床材）
２０    複合緩衝装置（緩衝装置）
２２    基台部
２３    流通路
２６    シリンダー（筒部）
２６Ｂ  案内面（案内部）
２７    上部カバー（突出部）
２８    スペーサー（磁性体）
３０    第１永久磁石（第１の磁力発生部）
３１    可動部
４０    第２永久磁石（第２の磁力発生部）
４２    スペーサー（磁性体）
４４    ゴムシート（第１の緩衝材）
４８    ゴムストッパ（弾性ストッパ）
５０    流量調整用ボルト（流量調節手段）
９０    緩衝用ゴムシート（第２の緩衝材）
【図１】
2007046287.tif 000003
【図２】
2007046287.tif 000004
【図３】
2007046287.tif 000005
【図４】
2007046287.tif 000006
【図５】
2007046287.tif 000007
【図６】
2007046287.tif 000008
【図７】
2007046287.tif 000009
【図８】
2007046287.tif 000010
【図９】
2007046287.tif 000011